(57)【要約】【課題】ロール状に巻き上げ繰り出される遮光スクリーンにおいては、巻き取られる状態では広幅の帯状の状態で巻き上げられ、繰り出される状態では両縁を折り曲がるように案内手段に導入して繰り出された後は、繰り出し方向・幅方向に緊張状態になるようなものを提供しようとするものである。【解決手段】建物の開口部１１に設置された窓枠１３の面に沿って繰り出され、巻き上げられる遮光スクリーン１７において、その遮光スクリーン１７の両縁にテープ状補強部１７ｓを一体に形成し、遮光スクリーン１７が繰り出されるに従って、上記テープ状補強部１７ｓが案内手段１０に導入されることにより折り曲げられて幅方向に緊張状態となり、巻上げられるときには上記案内手段１０から外れて遮光スクリーン１７に対してフラットとなり嵩低く蜜に巻き上げられるように構成とした。【選択図】図１
2009215858.tif 000002
【特許請求の範囲】
【請求項１】
建物の開口部（１１）に設置された窓枠（１３）の面に沿って繰り出され、巻き上げられる遮光スクリーン（１７）において、その遮光スクリーン（１７）の両縁にテープ状補強部（１７ｓ）を一体に形成してなることを特徴とする遮光スクリーン。
【請求項２】
上記遮光スクリーン（１７）のテープ状補強部（１７ｓ）は、巻上げられる状態では遮光スクリーン（１７）に対してフラットであり、繰り出されるに従ってそのテープ状補強部（１７ｓ）が案内手段（１０）によって折り曲げられて幅方向に緊張状態となることを特徴とする遮光スクリーン。
【請求項３】
上記テープ状補強部（１７ｓ）は、硬質樹脂テープまたは金属テープからなることを特徴とする請求項１または２に記載の遮光スクリーン。
【発明の詳細な説明】
【技術分野】
【０００１】  この発明は巻上げ可能な遮光スクリーンに関する。
【背景技術】
【０００２】  巻上げ可能な遮光スクリーンの先行技術として特開２００４−２５７０７７「遮光スクリーン装置」がある。【０００３】  上記先行技術は「ロール１１，１２と、一端がロール１１に連結され他端がロール１２に連結されている紐１５，１６に張設されている可撓性遮光スクリーン１７と、紐１５，１６の一端１３側をロール１１に巻き込ませるように、ロールを回転させるロール回転機構１８と、紐１５，１６に張力を与えるとともに紐１５，１６の他端１４側をロール１２に巻き込ませる弾性的回転力をロール１２に付与する弾性的回転力付与機構１９とを具備してなる」ものである。【０００４】  上記先行技術では、繰り出し方向に対して緊張力が働くが、両側縁はフリーになっていて幅方向には緊張力が働かず、横風を受けると遮光スクリーン全体がはためいてしまうこととなる。【０００５】  ここで、遮光スクリーンを室内側に設ける場合と室外側に設ける場合とでは、後者の方がはるかに高い遮光効果が得られることは極めて明瞭なことである。ことろが、上記提案の遮光スクリーンでは横風を受けると、はためくため室外側に設置することは考えられなかった。【０００６】  上記先行技術の問題解決策として、図５に示すように衣類やバッグ等で採用されているファスナーのチップ０１の如きものを遮光スクリーン１７の両縁に連続して形成し、遮光スクリーン１７が繰り出されるとき窓枠の両側に設けたアリ溝形のレール０２に上記連続して形成したチップ０１を導入して幅方向に緊張させるものが考えられる。【０００７】  しかし、このものでは繰り出した遮光スクリーン１７の幅方向への緊張が与えられるが、巻き上げたとき、チップ０１が重なり合って巻上げ部分が嵩だかとなってしまう問題がある。
【発明の開示】
【発明が解決しようとする課題】
【０００８】  上記状況のもと本発明は、ロール状に巻き上げられたときは嵩ひくく、繰り出されたときには両側縁から引っ張られて幅方向にも、繰り出し方向にも緊張させることができる遮光スクリーンを提供しようとするものである。
【課題を解決するための手段】
【０００９】  上記課題を解決するためにこの発明は、建物の開口部１１に設置された窓枠１３の面に沿って繰り出され、巻き上げられる遮光スクリーン１７において、その遮光スクリーン１７の両縁にテープ状補強部１７ｓを一体に形成し、遮光スクリーン１７が繰り出されるに従って、上記テープ状補強部１７ｓが案内手段１０に導入されることにより折り曲げられて幅方向に緊張状態となり、巻上げられるときには上記案内手段１０から外れてフラット（遮光スクリーンと同一面）となり嵩ひくく巻き上げられるような構成としたものである。
【発明の効果】
【００１０】  上記のごとく構成するこの発明によれば、遮光スクリーンを繰り出したときは繰り出し方向にも幅方向にも緊張力が働いて横風が吹き込んだとしてもはためきが起きず、巻上げ時には嵩低く蜜に巻き上げられることとなる。【００１１】  更に、遮光スクリーンの両縁が窓枠に設けられた案内手段に導入固定されるので窓枠と遮光スクリーンとの隙間から陽が差し込むことがなく遮光効果が一段と向上する。
【発明を実施するための最良の形態】
【００１２】  次にこの発明の実施の形態を、図面を参照しながら説明する。建物の開口部１１には、扉等が嵌まるレール１２を形成した窓枠１３が嵌められ、この窓枠１３の前面には面格子１６と遮光スクリーンユニット１４とで構成する遮光面格子がブラケット１５を介して取り付けてある。【００１３】  上記遮光スクリーンユニット１４は、遮光スクリーン１７を繰り出し・巻き上げるスプール１８を収容するハウジング１９と、繰り出される遮光スクリーン１７の下端に取り付けた横桟３８を案内する案内溝２０を形成した外枠２１とからなる。【００１４】  上記ハウジング１９は、上記スプール１８の支持軸２２を支承するベアリング２３を両端に設け、上記スプール１８は、長い筒体２４の両端に鍔２５を有する栓２６を嵌め込み、上記長い筒体２４の内部を、軸受け構成部材２７でもって長い区画部分２８と短い区画部分２９に区画し、長い区画部分２８の端から上記軸受け構成部材２７に向けて支持軸３０を挿通し、短い区画部分２９の端から摺動支持軸３１を挿通し、この摺動支持軸３１をスプリング３２によって突き出し方向に付勢している。【００１５】  上記長い区画部２８側に挿通し支持軸３０と上記筒体２４との間にコイルスプリング３３を装填し、その片端を筒体２４に固定し他端を支持軸３０に固定して遮光スクリーン１７を巻き上げる方向に付勢している。また、図面上の右側軸端にはテーパーコーン状カラー３４を介してラチェットホイール３５が嵌められ、このラチェットホイール３５に爪３６が掛り合いラチェットホイール３５に掛けまわされたチェン３７によりコイルスプリング３３の巻上げ力を調整可能にしている。【００１６】  遮光スクリーン１７の下端には横桟３８が取り付けられ、この横桟３８の両端は外枠２１の両側内面に形成した案内溝２０に嵌まり合うスライドシュー３９が形成され、繰り出される遮光スクリーン１７を案内するようになり、横桟３８の中央には引っ掛け部材４０が取り付けられ、外枠２１の下端に取り付けられた引っ掛け爪４１によって遮光スクリーン１７を最大繰り出した状態を固定するようになっている。【００１７】  次に繰り出された遮光スクリーン１７を幅方向に緊張させる手段について説明する。図１に示すように遮光スクリーン１７の両縁には硬質樹脂テープを融着してテープ状補強部１７ｓを形成している。ここで硬質樹脂とは軌道１０に導入されたとき防虫網を確保して軌道１０から抜け出ない程度のものでよくポリアミド、ポリエステルあるいは同質で高密度のものなどを採用することができる。また、上記硬質樹脂テープに代えて金属テープを採用することができ、金属テープを採用したときは遮光スクリーン１７の素材と金属テープ双方に接着効果のある接着手段を採用する。【００１８】  遮光スクリーン１７がロール状に巻き取られた状態では、その両縁に形成されたテープ状補強部１７ｓが遮光スクリーン１７に対して同一面のフラットになって密に巻き取られている。この状態から繰り出されて軌道１０（案内手段）に導入されるまでの間に上記テープ状補強部１７ｓは９０度捻られ、軌道１０に導入された後はテープ状補強部１７ｓの境目で直角に折り曲げられて幅方向に緊張された状態になる。【００１９】  ��記軌条１０は、図３に示すように外枠２１に横桟３８の案内溝２０に平行して設けられ、外枠２１は、それから延びるブラケット１５により窓枠１３に取り付けられている。なお、ここで図２に示すようにブラケット１５と合わせて起毛４３を施した遮光板４２を設けるならば朝夕の斜めからの陽射しを遮断することができる。【００２０】  上記軌道１０は図１に示すようにスプール１８の手前で途切れており、それから延びるテープ状補強部１７ｓは次第に捻られ遮光スクリーン１７と同一面になってスプール１８に巻き上げられる。ここで軌道１０をスプール１８に向けて９０度捻ってテープ状補強部１７ｓを強制的に遮光スクリーン１７と同一面になるよう案内することもできる。
【産業上の利用可能性】
【００２１】  上記のごとく構成するこの発明によれば第一に、遮光スクリーンが必要なときは繰り出し、不要のときは窓枠の上部に巻き上げて視界をスッキリしたものにすることができる。第二に、繰り出された遮光スクリーンには上下方向・幅方向に緊張力が働いて横風が吹き込んでもはためくことがなく、朝夕の斜めの陽射しを遮断する効果が一段と高くなる。第三に、巻き上げ密度が高くなって巻上げ時の収納部を小さくすることが可能となる。第四に、テープを溶着（または張り合わせ）するものであるから遮光スクリーンの生産性が向上するなど大きな効果を発揮し産業上の利用効果はきわめて高いものである。
【図面の簡単な説明】
【００２２】
【図１】  本発明の要部を著わす模試図
【図２】  本発明に係る遮光スクリーンを窓枠に取り付けた状態の垂直断面図
【図３】  同水平断面図
【図４】  同巻上げ機構説明図
【図５】  従来技術の説明図
【符号の説明】
【００２３】１０  軌道
１１  開口部
１２  レール
１３  窓枠
１４  遮光スクリーンユニット
１５  ブラケット
１６  面格子
１７  遮光スクリーン
１８  スプール
１９  ハウジング
２０  案内溝（横桟の）
２１  外枠
２２  支持軸（スプールの）
２３  ベアリング
２４  （長い）筒体
２５  鍔
２６  栓
２７  軸受け構成部材
２８  長い区画部
２９  短い区画部
３０  支持軸
３１  摺動支持軸
３２  スプリング
３３  コイルスプリング
３４  カラー（テーパーコーン状の）
３５  ラチェットホイール
３６  爪
３７  チェン
３８  横桟
３９  スライドシュー
４０  引っ掛け部材
４１  引っ掛け爪
４２  遮光板
４３  起毛
【図１】
2009215858.tif 000003
【図２】
2009215858.tif 000004
【図３】
2009215858.tif 000005
【図４】
2009215858.tif 000006
【図５】
2009215858.tif 000007